(57)【要約】【課題】この発明は、組立てやすく、良好な装着感が得られる組立て式サンバイザーの提供を目的とする。【解決手段】本発明の組立て式サンバイザー１０は、装着者Ａにおける頭部Ａａの額部Ａｂ前面に押し当てられる額当て部２０の下縁部に差込み片２１ａ，２１ｂを形成し、額当て部２０より前方に向けて突出される庇部３０の後縁部に差込み片２１ａ，２１ｂを差し込み可能な差込み孔３１ａ，３１ｂを形成している。差込み片２１ａ，２１ｂ及び差込み孔３１ａ，３１ｂを一方及び他方の縁部に沿って幅方向Ｗに所定間隔を隔てて複数配置している。差込み片２１ａ，２１ｂ及び差込み孔３１ａ，３１ｂが形成されてない額当て部２０の下縁部に庇部３０の後縁部に形成した弧状の端部３２に対して当接される当接部２２を形成している。【選択図】図１
2018028154.tif 000002
【特許請求の範囲】
【請求項１】
装着者における頭部の額部に押し当てられる額当て部と、該額当て部より前方に向けて突出される庇部と、該庇部の両端部に連設された一対の巻付け部と、該巻付け部の巻付けサイズを可変調節する巻付け調節手段と、を備えた組立て式サンバイザーであって、
前記額当て部の下縁部と前記庇部の後縁部とが対向する対向縁部のうち一方の縁部に差込み片が形成され、他方の縁部に前記差込み片を差し込み可能な差込み孔が形成され、
前記差込み片及び前記差込み孔が、
前記一方及び他方の縁部に沿って幅方向に所定間隔を隔てて複数配置され、
前記差込み片及び前記差込み孔が形成されてない前記額当て部の下縁部に、
前記庇部の後縁部に形成した弧状の端部に対して当接される当接部が形成された
組立て式サンバイザー。
【請求項２】
前記差込み片が、
前記額当て部における下縁部の幅方向の中央部と、該下縁部の幅方向の両端より内側に寄った両端部とに形成され、
前記差込み孔が、
前記庇部における後縁部の幅方向の中央部と、該後縁部の幅方向の両端より内側に寄った両端部とに形成された
請求項１に記載の組立て式サンバイザー。
【請求項３】
前記差込み孔が、
前記庇部における後縁部の後方側に形成された孔部と、前方側に形成された孔部とで構成され、
該後方側の孔部と前方側の孔部とが前後方向に所定間隔を隔てて配置された
請求項１又は２に記載の組立て式サンバイザー。
【請求項４】
前記額当て部の両端部と、該両端部に形成した差込み片との間が折り重ね片で連設され、
前記折り重ね片が、
前記庇部における両端部の差込み孔が形成された部分より後方側の後縁部に対して折り重ねられる大きさ及び形状に形成された
請求項２に記載の組立て式サンバイザー。
【請求項５】
前記庇部における幅方向の中央部と、該庇部における幅方向の両端より内側に寄った両端部とに、
山折り可能な折曲げ罫線が前記庇部の前後方向と平行して複数本付設された
請求項１〜４のいずれか一つに記載の組立て式サンバイザー。
【請求項６】
前記庇部と前記巻付け部との連設部分に、
山折り可能な折曲げ罫線が前記庇部の左右後縁部から左右斜め前方に向けて付設された
請求項１〜５のいずれか一つに記載の組立て式サンバイザー。 
【請求項７】
前記庇部の表裏両面のうち少なくとも一方の面に適宜本数のリブが形成された
請求項１〜６のいずれか一つに記載の組立て式サンバイザー。
【請求項８】
前記額当て部における前記差込み片が形成された縁部以外の部分に、
所望の大きさ及び形状に加工を施すことが可能な額部シートが連設された
請求項１〜７のいずれか一つに記載の組立て式サンバイザー。
【請求項９】
前記庇部における前記差込み孔が形成された縁部以外の部分に、
所望の大きさ及び形状に加工を施すことが可能な庇部シートが連設された
請求項１〜８のいずれか一つに記載の組立て式サンバイザー。
【発明の詳細な説明】
【技術分野】
【０００１】
この発明は、例えば広告媒体、商品の販売、応援、景品、イベント等において装着者の頭部に装着される組立て式サンバイザーに関する。
【背景技術】
【０００２】
上述の組立て式サンバイザーとしては、様々なものが多数提案されており、特許文献１に記載された組立て式サンバイザーも、このような組立て式サンバイザーの一つである。  
特許文献１の組立て式サンバイザー（日除け帽子）は、複数の差込み孔が下縁部に沿って形成され、バンドが両端に連設された細長い額当て部と、複数の差込み片が弧状の後縁部に形成された庇部とで構成している。額当て部と庇部とを組み付ける際に、庇部の後縁部に形成した複数の差込み片を、額当て部の下縁部に形成した複数の差込み孔に対して前方から差し込んで組み立てる。
【０００３】
しかし、庇部を、庇部に形成した差込み片と、額当て部に形成した差込み孔との差し込み構造によって支持するが、組立て式サンバイザーを頭部に装着した際に、庇部自体が自重により下方へ垂れ下がったり、風に煽られた際に上方に捲れ上がったりしやすく、庇部を額当て部より前方に向けて突出された状態に支持することが困難である。
【先行技術文献】
【特許文献】
【０００４】
【特許文献１】実開昭５８−４６２３号公報
【発明の概要】
【発明が解決しようとする課題】
【０００５】
この発明は、組立てやすく、良好な装着感が得られる組立て式サンバイザーを提供することを目的とする。
【課題を解決するための手段】
【０００６】
この発明は、装着者における頭部の額部に押し当てられる額当て部と、該額当て部より前方に向けて突出される庇部と、該庇部の両端部に連設された一対の巻付け部と、該巻付け部の巻付けサイズを可変調節する巻付け調節手段と、を備えた組立て式サンバイザーであって、前記額当て部の下縁部と前記庇部の後縁部とが対向する対向縁部のうち一方の縁部に差込み片を形成し、他方の縁部に前記差込み片を差し込み可能な差込み孔を形成し、前記差込み片及び前記差込み孔を、前記一方及び他方の縁部に沿って幅方向に所定間隔を隔てて複数配置し、前記差込み片及び前記差込み孔が形成されてない前記額当て部の下縁部に、前記庇部の後縁部に形成した弧状の端部に対して当接される当接部を形成したことを特徴とする。
【０００７】
上述の額当て部及び巻付け部を連設した庇部は、例えば無機鉱物粉末を５０重量％以上含有するシート（ストーンペーパー）、ポリエチレン（ＰＥ）、ポリプロピレン（ＰＰ）、生分解性プラスチック（ＰＬＡ）、アモルファスポリエチレンテレフタレート（Ａ−ＰＥＴ）、耐水紙、発泡シート等の材質で形成された単体シートや複合シートで構成してもよい。  
なお、シートの肉厚は、強度を考慮して、例えば約０．２ｍｍ〜約３ｍｍの範囲に含まれる肉厚に設定してもよい。
【０００８】
上述の巻付け調節手段は、例えば巻付け部の両端部に掛け渡される伸縮性を有するゴム、ループ部を有する雌側テープとフック部を有する雄側テープとからなる面ファスナー、互いに係止される差込み片と差込み孔、互いに係止される上向き切欠き部と下向き切欠き部等で構成してもよい。
【０００９】
この発明によれば、組立てやすく、良好な装着感が得られる組立て式サンバイザーを提供することができる。  
詳しくは、例えば額当て部の下縁部に形成した差込み片を、庇部の後縁部に形成した差込み孔に差し込んで固定する際に、額当て部の下縁部に形成した当接部を、庇部の後縁部に形成した弧状の端部に対して後方から前方に向けて当接する。
【００１０】
これにより、額当て部が庇部の端部に沿って弧状に湾曲されるとともに、庇部の後縁部に対して垂直に起立した状態に組み付けられる。また、庇部が額当て部に対して前方に向けて突出した状態に支持される。
【００１１】
上述の額当て部と庇部とが組み立てられた組立て式サンバイザーを装着する際に、庇部の両端部に連設された一対の巻付け部を両手で把持したまま、組立て式サンバイザーを装着者の頭部に被せるとともに、弧状に湾曲した額当て部を装着者の額部前面に押し当てる。
【００１２】
額当て部を装着者の額部前面に押し当てた状態で、庇部の両端部に連設された一対の巻付け部を頭部の側面に沿う状態に巻き付ける際に、一対の巻付け部を介して庇部の両端部が後側斜め下方に向けて引っ張られるため、庇部が所定の形状に変形される。
【００１３】
これにより、庇部の後縁部に対して垂直に起立した状態に組み付けられた弧状に湾曲する額当て部が、頭部の額部前面に対してフィットする状態に押し当てられるとともに、額当て部における頭部の額部前面に対して押し当てられる部分が、額部前面と対応する形状に変形される。
【００１４】
この結果、組立て式サンバイザーを装着者の頭部に対してぴったりとフィットした状態に装着することができるため、良好な装着感が安定して得られるとともに、長時間に亘り装着することが可能である。  
しかも、頭部に装着した状態において、例えばズレやガタ付き等が生じにくく、組立て式サンバイザーの位置や向きが変位することを確実に防止できる。
【００１５】
さらに、額当て部より前方に突出する庇部を、額当て部に形成した差込み片と、庇部に形成した差込み孔との差し込む構造と、額当て部に形成した当接部と、庇部に形成した弧状の端部との当接構造とで相乗して支持する。
【００１６】
これにより、庇部自体が自重により下方へ垂れ下がったり、風に煽られた際に上方に捲れ上がったりすることを防止でき、額当て部に対して前方に向けて突出した状態に支持することができる。  
さらにまた、庇部が所定の形状に変形した状態に保たれるため、庇部による遮光効果が安定して得られる。
【００１７】
この発明の態様として、前記差込み片を、前記額当て部における下縁部の幅方向の中央部と、該下縁部の幅方向の両端より内側に寄った両端部とに形成し、前記差込み孔を、前記庇部における後縁部の幅方向の中央部と、該後縁部の幅方向の両端より内側に寄った両端部とに形成してもよい。
【００１８】
この発明によれば、組立て式サンバイザーを装着者の頭部に対してぴったりとフィットした状態に確実に装着することができる。  
詳しくは、額当て部と庇部との対向縁部に形成した差込み片を差込み孔に差し込んで、幅方向の中央部と両端部との３箇所を固定するため、弧状に湾曲した額当て部を装着者の額部前面に押し当てた際に、額当て部における固定されてない非固定部分が額部前面と対応する曲面形状に撓み変形しやすく、額当て部を額部前面に対して安定した状態に装着することができる。
【００１９】
これにより、例えば子供や大人等によって頭部の大きさ及び形状が多少異なっても、組立て式サンバイザーをぴったりとフィットした状態に装着することができるため、誰でも似合うように装着することができる。
【００２０】
またこの発明の態様として、前記差込み孔を、前記庇部における後縁部の後方側に形成された孔部と、前方側に形成された孔部とで構成し、該後方側の孔部と前方側の孔部とが前後方向に所定間隔を隔てて配置してもよい。
【００２１】
この発明によれば、額当て部と庇部とを一体に組み付けた状態に保つことができる。  
詳しくは、額当て部の当接部を庇部の弧状の端部に当接した際に、額当て部の差込み片を、例えば庇部における差込み孔の後方側の孔部に対して下方から挿通した後、前方側の孔部に対して上方から挿通するとともに、差込み片の先端部を前方側の孔部に係止して抜止め固定する。
【００２２】
これにより、額当て部の差込み片が庇部の差込み孔から引き抜かれることを積極的に防止できる。  
この結果、組立て式サンバイザーの額当て部と庇部とをより確実に組み付け固定することができるとともに、額当て部と庇部とが不測に分離又は分解されることをより確実に防止できる。
【００２３】
またこの発明の態様として、前記額当て部の両端部と、該両端部に形成した差込み片との間を折り重ね片で連設し、前記折り重ね片を、前記庇部における両端部の差込み孔が形成された部分より後方側の後縁部に対して折り重ねられる大きさ及び形状に形成してもよい。
【００２４】
この発明によれば、額当て部と庇部とを一体に組み付けた状態により確実に保つことができる。
【００２５】
詳しくは、額当て部の両端部に形成した差込み片を、庇部の両端部に形成した差込み孔に差し込んだ際に、額当て部の両端部に形成した折り重ね片を、庇部における差込み孔が形成された部分より後方側の後縁部の裏面に対して下方から覆うように折り重ねる。
【００２６】
これにより、組立て式サンバイザーを頭部に装着する際に、幅方向の両端より内側に寄った額当て部の下縁部と庇部の後縁部との間に、装着者の手の指が挟み込まれたり、入り込んだりすることを確実に防止できる。
【００２７】
また、額当て部の両端部と庇部の両端部との間に頭髪が挟み込まれたり、引っ掛かったりすることを防止できるため、組立て式サンバイザーをかぶったり、ぬいだりする動作がスムーズに行える。
【００２８】
しかも、庇部の後縁部を額当て部の当接部と折り重ね片とで支持するため、額当て部と庇部との組み付け部分に、例えばズレやガタ付き等が生じにくく、所定の形状に組み付けた状態を保つことができる。
【００２９】
またこの発明の態様として、前記庇部における幅方向の中央部と、該庇部における幅方向の両端より内側に寄った両端部とに、該庇部の前後方向と平行して山折り可能な折曲げ罫線を複数本付設してもよい。
【００３０】
この発明によれば、組立て式サンバイザーの庇部を所定の形状に容易に変形することができる。  
詳しくは、庇部に形成した複数本の折曲げ罫線を山折り状態に折り曲げて、庇部を、例えば弧状、半円形状、上下逆Ｖ字状、上下逆Ｕ字状、台形状等の所定の形状に変形する。
【００３１】
これにより、庇部を所定の形状に変形する際に付与される抵抗が小さく、また変形前の状態に戻ろうとする復元力も弱くなるため、庇部を所定の形状に変形した状態に保つことができる。
【００３２】
またこの発明の態様として、前記庇部と前記巻付け部との連設部分に、該庇部の後縁部から前縁部に向けて山折り可能な折曲げ罫線を付設してもよい。
【００３３】
この発明によれば、組立て式サンバイザーの庇部を所定の形状により容易に変形することができる。
【００３４】
詳しくは、庇部の両端部に連設された一対の巻付け部を介して庇部の両端部を後側斜め下方に向けて引っ張る際に、庇部と巻付け部との連設部分に付設された折曲げ罫線が山折り状態に折り曲げられる。
【００３５】
これにより、一対の巻付け部を頭部の側面に沿う状態に巻き付ける際に付与される折曲げ抵抗が小さく、また変形前の状態に戻ろうとする復元力も弱くなるため、庇部を所定の形状に確実に変形することができる。
【００３６】
またこの発明の態様として、前記庇部の表裏両面のうち少なくとも一方の面に適宜本数のリブを形成してもよい。  
この発明によれば、組立て式サンバイザーの庇部を所定の形状により確実に保つことができる。
【００３７】
詳しくは、例えば加熱真空成形方法、加熱圧空成形方法、プレス成形方法等の成形方法を用いて、庇部の表裏両面のうち少なくとも一方の面における所定の部分に単数又は複数のリブを形成することにより、庇部の剛性が向上し、補強することができる。
【００３８】
これにより、リブが形成されてない庇部に比べて、リブが形成された庇部の方が変形しにくく、所定の形状に変形した状態に保つために必要な剛性を確保することができる。  
この結果、庇部を所定の形状により確実に保つことができるとともに、庇部による遮光効果が安定して得られる。  
なお、額当て部の表裏両面のうち少なくとも一方の面にリブを形成してもよい。
【００３９】
またこの発明の態様として、前記額当て部における前記差込み片が形成された縁部以外の部分に、所望の大きさ及び形状に加工を施すことが可能な額部シートを連設してもよい。  
この発明によれば、個性的、あるいは、独創的な額当て部を有する組立て式サンバイザーを提供することができる。
【００４０】
またこの発明の態様として、前記庇部における前記差込み孔が形成された縁部以外の部分に、所望の大きさ及び形状に加工を施すことが可能な庇部シートを連設してもよい。  
この発明によれば、個性的、あるいは、独創的な庇部を有する組立て式サンバイザーを提供することができる。
【００４１】
詳しくは、額当て部の額部シートと庇部の庇部シートとを、例えばハサミやカッター等の切断具を用いて所望の大きさ及び形状に加工する。あるいは、額部シート及び庇部シートの表裏両面のうち少なくとも一方の面に、例えば絵具、クレヨン、油性ペン等の筆記具を用いて所望のデザイン（例えば文字、図柄、絵等）を施すことができる。
【００４２】
これにより、既存の組立て式サンバイザーに比べて、本発明の組立て式サンバイザーの額当て部及び庇部をより目立たせて、周囲の人の注目を集めることができるとともに、訴求性を高めることもできる。  
この結果、本発明の組立て式サンバイザーが個性的、あるいは、独創的であることをアピールすることができる。
【００４３】
しかも、額部シート及び庇部シートに、例えば方眼、斜眼、曲線等の線を予め印刷しておけば、その線を目安にして、額部シート及び庇部シートを所望の大きさ及び形状により正確に加工したり、所望のデザインをより正確に施したりすることができる。
【発明の効果】
【００４４】
この発明によれば、組立てやすく、良好な装着感が得られる組立て式サンバイザーを提供することができる。
【図面の簡単な説明】
【００４５】
【図１】実施例１の組立て式サンバイザーを組み立てた状態の斜視図。
【図２】額当て部と庇部とを組み付けた組立て式サンバイザーの平面図。
【図３】展開した額当て部の平面図。
【図４】展開した庇部及び巻付け部の平面図。
【図５】巻付け部の巻付けサイズを可変調節する巻付け調節部の説明図。
【図６】実施例２のリブを形成した庇部の平面図。
【図７】実施例３の巻付け調節部により可変調節する説明図。
【図８】実施例４の巻付け調節部により可変調節する説明図。
【図９】実施例５の巻付け調節部により可変調節する説明図。
【図１０】実施例６の額部シートを連設した額当て部の平面図。
【図１１】実施例６の庇部シートを連設した庇部の平面図。
【発明を実施するための形態】
【００４６】
この発明の一実施形態を以下図面に基づいて詳述する。  
（実施例１）  
図１は実施例１の組立て式サンバイザー１０を組み立てた状態の斜視図、図２は額当て部２０と庇部３０とを組み付けた組立て式サンバイザー１０の平面図、図３は展開した額当て部２０の平面図、図４は展開した庇部３０及び巻付け部４０の平面図である。
【００４７】
なお、以下の説明における前後方向ＦＲとは、組立て式サンバイザー１０の前後方向と一致する方向であり、幅方向Ｗとは、平面方向において前後方向ＦＲに直交する方向である。組立て式サンバイザー１０の庇部３０と対応する側を前方Ｙａとし、逆に、巻付け部４０と対応する側を後方Ｒとしている。
【００４８】
実施例１の組立て式サンバイザー１０は、装着者Ａにおける頭部Ａａの額部Ａｂ前面に押し当てられる額当て部２０と、額当て部２０より前方に向けて突出される庇部３０と、庇部３０の両端部に連設された一対の巻付け部４０と、一対の巻付け部４０の巻付けサイズを可変調節する巻付け調節部４１とを備えている（図１、図２参照）。
【００４９】
額当て部２０及び巻付け部４０を連設した庇部３０は、約０．２ｍｍ〜約３ｍｍの範囲に含まれる肉厚に形成した無機鉱物粉末含有シート（ストーンペーパー）を、図示しないトムソン型の型抜き機により所定の大きさ及び形状に型抜きして形成している。  
上述の無機鉱物粉末含有シートは、耐水性、耐油性、耐薬品性に優れており、６０重量％の無機鉱物（石灰岩）と４０重量％のポリエチレンとで構成している。
【００５０】
額当て部２０は、頭部Ａａの額部Ａｂ前面に押し当てられる大きさ及び形状に形成している。後述する庇部３０の差込み孔３１ａ，３１ｂに対して差し込み可能な差込み片２１ａ，２１ｂを、額当て部２０における下縁部の幅方向Ｗの中央部と、下縁部の幅方向Ｗの両端より内側に寄った両端部とに形成するとともに、幅方向Ｗに所定間隔を隔てて３箇所配置している（図１〜図４参照）。
【００５１】
額当て部２０における両端部の差込み片２１ｂ，２１ｂは、後述する折り重ね片２１ｃを介して額当て部２０の両端部に連設している。折り重ね片２１ｃは、庇部３０における両端部の差込み孔３１ｂが形成された部分より後方Ｒ側の後縁部の裏面に対して折り重ねられる大きさ及び形状に形成している。
【００５２】
額当て部２０における幅方向Ｗの中央部に配置した差込み片２１ａと、幅方向Ｗの両端部に配置した差込み片２１ｂとの間の下縁部には、庇部３０の後縁部に形成された弧状の端部３２に対して後方Ｒから前方Ｆに向けて当接される当接部２２を形成している。  
額当て部２０と差込み片２１ａの連設部分と、額当て部２０と折り重ね片２１ｃの連設部分には、谷折り可能な折曲げ罫線２３を幅方向Ｗと平行に付設している（図１〜図４参照）。
【００５３】
庇部３０は、額当て部２０より前方に向けて突出される大きさ及び形状に形成している。上述の差込み片２１ａ，２１ｂが差し込まれる差込み孔３１ａ，３１ｂを、庇部３０における後縁部の幅方向Ｗの中央部と、後縁部の幅方向Ｗの両端より内側に寄った両端部とに形成するとともに、幅方向Ｗに所定間隔を隔てて３箇所形成している（図１〜図４参照）。
【００５４】
差込み孔３１ａ，３１ｂは、庇部３０における後縁部の後方Ｒ側に形成した孔部３１１ａと、前方Ｆ側に形成した孔部３１１ｂとで構成され、後方Ｒ側の孔部３１１ａと前方Ｆ側の孔部３１１ｂとは前後方向ＦＲに所定間隔を隔てて配置している（図１、図２、図４参照）。
【００５５】
孔部３１１ａは、差込み片２１ａ，２１ｂが前方Ｆに向けて挿通可能な孔形状及び孔幅に形成している。孔部３１１ｂは、差込み片２１ａ，２１ｂの先端部が前方Ｆに向けて挿通可能で、後方Ｒに対して係止される孔形状及び孔幅に形成している（図２のａ部拡大図参照）。
【００５６】
庇部３０における幅方向Ｗの中央部と、幅方向Ｗの両端より内側に寄った両端部には、山折り可能な折曲げ罫線３３を前後方向ＦＲと平行に付設するとともに、幅方向Ｗに所定間隔を隔てて３本付設している（図２、図４参照）。
【００５７】
庇部３０と巻付け部４０との連設部分には、山折り可能な略直線状の折曲げ罫線３４を２本付設している。２本の折曲げ罫線３４は、庇部３０の左右後縁部から左右斜め前方に向けて徐々に間隔が広くなるように付設している（図２、図４参照）。
【００５８】
庇部３０における幅方向Ｗの両端部には、頭部Ａａの額部Ａｂに巻き付けられる帯状の巻付け部４０を一体に連設している。巻付け部４０の端部４０ａには、巻付け部４０の巻付けサイズを頭部Ａａの巻付けサイズに合わせて可変調節する巻付け調節部４１を設けている。  
一方の巻付け部４０の上縁部には、動物（具体的にはウサギ）の耳部に酷似する大きさ及び形状に形成した突出部４４を連設している（図１〜図３参照）。
【００５９】
巻付け調節部４１は、巻付け部４０の端部４０ａに形成した一対の係止孔４２と、係止孔４２に対して一端が係止される伸縮可能なゴム紐４３とを備えている。  
図５は巻付け部４０の巻付けサイズを可変調節する巻付け調節部４１の説明図であり、詳しくは、図５（ａ）は巻付け調節部４１を可変調節する前の拡大図、図５（ｂ）は巻付け調節部４１を可変調節した状態の拡大図である。
【００６０】
係止孔４２は、巻付け部４０における端部４０ａの中央部に形成するとともに、長手方向Ｌに所定間隔を隔てて２箇所配置している。係止孔４２の一端側には、ゴム紐４３の両端に形成した結び目４３ａより径が大きい孔部４２ａを形成している。係止孔４２の他端側には、結び目４３ａより径が小さい孔部４２ｂを形成している（図５（ａ）（ｂ）参照）。
【００６１】
孔部４２ａ，４２ｂの間には、孔部４２ａ，４２ｂ同士を連通する通路４２ｃを形成している。通路４２ｃは、孔部４２ａ側から孔部４２ｂ側に向けて徐々に狭くなる形状に形成している。孔部４２ａ，４２ｂは、巻付け部４０の端部４０ａから順に配置している（図５参照）。
【００６２】
ゴム紐４３の結び目４３ａを、巻付け部４０の係止孔４２に係止する際に、ゴム紐４３の結び目４３ａを係止孔４２の孔部４２ａに挿通した後、通路４２ｃを介して孔部４２ａ側から孔部４２ｂ側へ移動させて、結び目４３ａを係止孔４２の孔部４２ｂに係止する（図５（ａ）参照）。  
これにより、ゴム紐４３の結び目４３ａを、巻付け部４０における係止孔４２の孔部４２ｂ側に抜止めすることができる。
【００６３】
また、ゴム紐４３の結び目４３ａを、巻付け部４０の端部４０ａに近い方の係止孔４２に係止するか、遠い方の係止孔４２に係止することにより、頭部Ａａに対する巻付け部４０の巻付け具合を可変調節することができる。
【００６４】
上述の組立て式サンバイザー１０を立体形状に組み立てる場合、額当て部２０の下縁部に形成した３箇所の差込み片２１ａ，２１ｂを、庇部３０の後縁部に形成した３箇所の差込み孔３１ａ，３１ｂに差し込んで固定する際に、額当て部２０の下縁部に形成した当接部２２の前方Ｆ側平面を、庇部３０の後縁部に形成した弧状の端部３２に対して後方Ｒから前方Ｆに向けて当接し、額当て部２０を庇部３０の端部３２に沿って弧状に湾曲する（図１、図２参照）。
【００６５】
額当て部２０の当接部２２を庇部３０の端部３２に当接したまま、額当て部２０の差込み片２１ａ，２１ｂを、庇部３０の差込み孔３１ａ，３１ｂの孔部３１１ａに対して下方から挿通した後、孔部３１１ｂに対して上方から挿通するとともに、差込み片２１ａ，２１ｂの先端部を孔部３１１ｂに係止して抜止め固定する（図１、図２参照）。
【００６６】
額当て部２０の両端部に形成した差込み片２１ｂ，２１ｂを、庇部３０の両端部に形成した差込み孔３１ｂ，３１ｂに差し込んだ際に、額当て部２０の両端部に形成した折り重ね片２１ｃ，２１ｃを、庇部３０における差込み孔３１ｂが形成された部分より後方Ｒ側の後縁部の裏面に対して下方から折り重ねる（図２のａ部拡大図参照）。
【００６７】
これにより、額当て部２０を庇部３０の端部３２に沿って弧状に湾曲したまま、庇部３０の後縁部に対して垂直に起立した状態に組み付けることができる。  
この結果、組立て式サンバイザー１０を、装着者Ａの頭部Ａａに対してぴったりとフィットする立体形状に組み立てることができる（図１参照）。
【００６８】
しかも、額当て部２０より前方Ｆに突出する庇部３０を、額当て部２０に形成した差込み片２１ａ，２１ｂと、庇部３０に形成した差込み孔３１ａ，３１ｂとの差し込み構造と、額当て部２０に形成した当接部２２と、庇部３０に形成した弧状の端部３２との当接構造とで支持している。
【００６９】
これにより、庇部３０自体が自重により下方へ垂れ下がったり、風に煽られた際に上方に捲れ上がったりすることを防止でき、額当て部２０に対して前方Ｆに向けて突出した状態に支持することができる。
【００７０】
さらに、額当て部２０の差込み片２１ａ，２１ｂを、庇部３０の差込み孔３１ａ，３１ｂの孔部３１１ａ，３１１ｂに差し込んで固定するため、差込み片２１ａ，２１ｂが差込み孔３１ａ，３１ｂから引き抜かれることを防止でき、額当て部２０と庇部３０とをより確実に組み付け固定することができる。
【００７１】
これにより、組立て式サンバイザー１０の額当て部２０と庇部３０とを一体に組み付けられた状態に保つことができ、額当て部２０と庇部３０とが分離又は分解されることをより確実に防止できる。
【００７２】
さらにまた、額当て部２０の両端部に形成した折り重ね片２１ｃ，２１ｃを、庇部３０における差込み孔３１ｂが形成された部分より後方Ｒ側の後縁部の裏面に対して下方から覆うように折り重ねる（図１、図２参照）。
【００７３】
これにより、組立て式サンバイザー１０を頭部Ａａに装着する際に、幅方向Ｗの両端より内側に寄った額当て部２０の下縁部と庇部３０の後縁部との間に、装着者Ａの手の指が挟み込まれたり、入り込んだりすることを確実に防止できる。
【００７４】
また、額当て部２０の両端部と庇部３０の両端部との間に頭髪が挟み込まれたり、引っ掛かったりすることを防止できるため、組立て式サンバイザー１０をかぶったり、ぬいだりする動作がスムーズに行える。
【００７５】
さらにまた、庇部３０の後縁部を、額当て部２０の当接部２２と折り重ね片２１ｃ，２１ｃとで支持するため、額当て部２０と庇部３０との組み付け部分に、例えばズレやガタ付き等が生じにくく、所定の形状に組み付けた状態を保つことができる。
【００７６】
上述のように組み立てられた組立て式サンバイザー１０を装着者Ａの頭部Ａａに装着する際に、庇部３０の両端部に連設された一対の巻付け部４０を両手で把持した後、一対の巻付け部４０を、巻付け調節部４１におけるゴム紐４３の復元力に抗して離間される方向へ引っ張り、装着者Ａの頭部Ａａに対して装着可能な巻付けサイズに拡張する（図５参照）。
【００７７】
一対の巻付け部４０を両手で拡張した状態に把持したまま、組立て式サンバイザー１０を装着者Ａの頭部Ａａに対して前方Ｆ側、あるいは、後方Ｒ側から被せるとともに、弧状に湾曲した額当て部２０を装着者Ａの額部Ａｂ前面に押し当てる（図１、図２参照）。
【００７８】
額当て部２０を装着者Ａの額部Ａｂ前面に押し当てたまま、庇部３０の両端部に連設された一対の巻付け部４０を額部Ａｂより後側の頭部Ａａ周面に沿う状態に巻き付ける際に、庇部３０に付設した３本の折曲げ罫線３３を山折り状態に折り曲げて、庇部３０を前方Ｆ（正面）から見て、庇部３０における幅方向Ｗの中央部が上方に向けて弧状に突出する弧形状に湾曲する（図１、図２参照）。
【００７９】
一対の巻付け部４０を介して庇部３０の両端部が後側斜め下方に向けて引っ張るため、庇部３０と巻付け部４０との連設部分に付設した２本の折曲げ罫線３４が山折り状態に折り曲げられる。  
これにより、庇部３０を前方Ｆから見て弧状に湾曲した弧形状に変形することができる。
【００８０】
巻付け調節部４１のゴム紐４３の復元力によって、弧状に湾曲した額当て部２０を装着者Ａの額部Ａｂ前面に対してぴったりとフィットする状態に押し当てられた状態に維持するとともに、一対の巻付け部４０を額部Ａｂより後側の頭部Ａａ周面に対してぴったりとフィットする状態に巻き付けられた状態に維持する。
【００８１】
この結果、組立て式サンバイザー１０を装着者Ａの頭部Ａａに対してぴったりとフィットした状態に装着することができるため、良好な装着感が安定して得られるとともに、長時間に亘り装着することが可能である。
【００８２】
しかも、頭部Ａａに装着した状態において、例えばズレやガタ付き等が生じにくく、組立て式サンバイザー１０の位置や向きが変位することをより確実に防止できる。  
さらに、庇部３０が前方Ｆから見て略弧状に湾曲した形状に保たれるため、庇部３０による遮光効果がより安定して得られる。
【００８３】
さらにまた、一対の巻付け部４０をゴム紐４３の復元力に抗して離間される方向へ引っ張ることにより、ゴム紐４３の伸縮具合に応じて、一対の巻付け部４０同士の間を拡縮調節することができる（図５参照）。  
これにより、一対の巻付け部４０の巻付けサイズを、装着者Ａの頭部Ａａの巻付けサイズに合わせて無段階に可変調節することができる。
【００８４】
さらにまた、額当て部２０の差込み片２１ａ，２１ｂと庇部３０の差込み孔３１ａ，３１ｂとを、幅方向Ｗの中央部と、両端より内側に寄った両端部とに３箇所形成しているため、弧状に湾曲した額当て部２０を装着者Ａの額部Ａａ前面に押し当てた際に、額当て部２０における固定されてない非固定部分が額部Ａａ前面と対応する曲面形状に撓み変形しやすく、額当て部２０を額部Ａａ前面に対して安定した状態に装着することができる。
【００８５】
これにより、例えば子供や大人等によって頭部Ａａの大きさ及び形状が多少異なっても、ぴったりとフィットした状態に装着することができるため、誰でも似合うように装着することができる。
【００８６】
さらにまた、一方の巻付け部４０に連設した突出部４４を、動物（具体的にはウサギ）の耳部に酷似する大きさ及び形状に形成しているため、組立て式サンバイザー１０を頭部Ａａに装着した際に、巻付け部４０に連設した突出部４４が目立ちやすく、注目度及びアピール度がアップする。
【００８７】
なお、突出部４４を他方の巻付け部４０の上縁部に連設してもよい。また、動物の耳部以外に、例えば植物や動植の識別が可能な形状、あるいは、植物や動植の一部（具体的には植物の花、動物の手、足、耳、尻尾）等の所望の大きさ及び形状に形成してもよい。
【００８８】
さらにまた、組立て式サンバイザー１０を、耐水性に優れた無機鉱物粉末含有シート（ストーンペーパー）で構成しているため、額当て部２０、庇部３０、巻付け部４０の外向きとなる面及び内向きとなる面のうち少なくとも一方の面に、例えば応援や宣伝に関連するメッセージ、所望のキャラクタや文字、図柄、模様、風景等の表示内容をカラー印刷してもよい。これにより、注目度及びアピール度をよりアップさせることができる。
【００８９】
さらにまた、額当て部２０及び庇部３０の表裏両面のうち少なくとも一方の面に、例えば文字、図柄、絵等のデザインをカラー印刷、あるいは、筆記具で描いたり、凹凸や梨地等を加工したりするなどして、組立て式サンバイザーの意匠性を向上させることもできる。
【００９０】
さらにまた、大きさや形状の異なる額当て部２０及び庇部３０を予め複数枚製作しておけば、所望の大きさ及び形状に形成された額当て部２０と庇部３０とを組み合せることにより、より個性的、あるいは、より独創的な組立て式サンバイザーを組み立てることができる。また、１個の庇部３０に対して複数個の額当て部２０をセットで提供することもできる。
【００９１】
以下、上述の組立て式サンバイザーにおける巻付け調節部４１のその他の例について説明する。この説明において、前記構成と同一または同等の部位については同一の符号を記してその詳しい説明を省略する。
【００９２】
（実施例２）  
上述の実施例１では庇部３０を略平坦に形成した例について説明したが、実施例３では、図６に示すように、断面略弧状のリブ３５，３６を適宜本数形成した庇部３０について説明する。  
図６は断面略弧状のリブ３５，３６を形成した庇部３０の平面図である。
【００９３】
実施例２の庇部３０は、弧状のリブ３５と直線状のリブ３６とを、加熱真空成形方法を用いて庇部３０の表裏両面のうち少なくとも一方の面に適宜本数形成している。弧状のリブ３５は、既に付設された３本の折曲げ罫線３３を避けて、庇部３０の前縁部に沿って２本形成している。  
直線状のリブ３６は、庇部３０における幅方向Ｗの中央部に付設された折曲げ罫線３３を避けて、折曲げ罫線３３の両側に前後方向ＦＲと平行に付設している。
【００９４】
これにより、庇部３０の剛性が向上し、より補強することができるため、リブ３５，３６が形成されてない庇部３０に比べて、リブ３５，３６が形成された庇部３０の方が変形しにくく、所定の形状に保つために必要な剛性を確保することができる。
【００９５】
この結果、組立て式サンバイザー１０の庇部３０を所定の形状に保つことができるとともに、庇部３０による遮光効果が安定して得られるため、実施例１に加えた作用、及び効果を奏することができる。  
また断面略弧状のリブを、額当て部２０の表裏両面のうち少なくとも一方の面に適宜本数形成してもよい。
【００９６】
（実施例３）  
上述の実施例１ではゴム紐４３を備えた巻付け調節部４１について説明したが、実施例３では、図７に示すように、面ファスナー５１Ｂを備えた巻付け調節部５０Ｂについて説明する。
【００９７】
図７は実施例３の巻付け調節部５０Ｂの説明図であり、詳しくは、図７（ａ）は巻付け調節部５０Ｂを可変調節する前の拡大図、図７（ｂ）は巻付け調節部５０Ｂを可変調節した状態の拡大図である。
【００９８】
実施例３の巻付け調節部５０Ｂは、一方の巻付け部４０の端部４０ａに装着したループを有する雌側テープ５２Ｂと、他方の巻付け部４０の端部４０ａに装着したフックを有する雄側テープ５３Ｂとからなる面ファスナー５１Ｂで構成している。
【００９９】
組立て式サンバイザー１０の額当て部２０を額部Ａｂに押し当てた状態で、庇部３０の両端部に連設された一対の巻付け部４０を頭部Ａａに巻き付けた際に、一方の巻付け部４０に装着した雌側テープ５２Ｂと、他方の巻付け部４０に装着した雄側テープ５３Ｂとを互いに貼り合わせる（図７（ａ）（ｂ）参照）。
【０１００】
すなわち、巻付け部４０の巻付けサイズを頭部Ａａの巻付けサイズに合わせて無段階に可変調節するため、巻付け部４０を頭部Ａａに対してぴったりとフィットする状態に巻き付けることができる。
【０１０１】
この結果、頭部Ａａに装着した状態において、組立て式サンバイザー１０の位置や向きが変位することを防止できるため、実施例１に加えた作用、及び効果を奏することができる。
【０１０２】
（実施例４）  
実施例４では、図８に示すように、係止孔５１Ｃと係止片５２Ｃとを備えた巻付け調節部５０Ｃについて説明する。  
図８は実施例４の巻付け調節部５０Ｃにより可変調節する説明図であり、詳しくは、図８（ａ）は巻付け調節部５０Ｃを可変調節する前の拡大図、図８（ｂ）は巻付け調節部５０Ｃを可変調節した状態の拡大図である。
【０１０３】
実施例４の巻付け調節部５０Ｃは、一方の巻付け部４０の端部４０ａに形成した三角形状を有する複数の係止孔５１Ｃと、他方の巻付け部４０の端部４０ａに形成した横向きＴ字状を有する係止片５２Ｃとで構成している。係止孔５１Ｃは、巻付け部４０の長手方向Ｌに所定間隔を隔てて配置している。
【０１０４】
組立て式サンバイザー１０の庇部３０の両端部に連設された一対の巻付け部４０を頭部Ａａに巻き付けた際に、一方の巻付け部４０に形成した複数の係止孔５１Ｃから選択した一つの係止孔５１Ｃに、他方の巻付け部４０に形成した係止片５２Ｃを係止する（図８（ａ）（ｂ）参照）。
【０１０５】
すなわち、巻付け部４０の巻付けサイズを頭部Ａａの巻付けサイズに合わせて段階的に可変調節するため、巻付け部４０を頭部Ａａに対してぴったりとフィットする状態に巻き付けることができる。
【０１０６】
この結果、頭部Ａａに装着した状態において、組立て式サンバイザー１０の位置や向きが変位することを防止できるため、実施例１に加えた作用、及び効果を奏することができる。
【０１０７】
（実施例５）  
実施例５では、図９に示すように、上向き切欠き部５１Ｄと下向き切欠き部５２Ｄとを備えた巻付け調節部５０Ｄについて説明する。  
図９は実施例５の巻付け調節部５０Ｄにより可変調節する説明図であり、詳しくは、図９（ａ）は巻付け調節部５０Ｄを可変調節する前の拡大図、図９（ｂ）は巻付け調節部５０Ｄを可変調節した状態の拡大図である。
【０１０８】
実施例５の巻付け調節部５０Ｄは、一方の巻付け部４０の上縁部に形成した複数の上向き切欠き部５１Ｄと、他方の巻付け部４０の下縁部に形成した複数の下向き切欠き部５２Ｄとで構成している。切欠き部５１Ｄ，５２Ｄは、巻付け部４０の長手方向Ｌと直交して互いに係止が許容される形状に形成され、巻付け部４０の長手方向Ｌに所定間隔を隔てて配置している。
【０１０９】
組立て式サンバイザー１０の庇部３０に連設された一対の巻付け部４０を頭部Ａａに巻き付けた際に、一方の巻付け部４０に形成した複数の上向き切欠き部５１Ｄから選択した一つの上向き切欠き部５１Ｄを、他方の巻付け部４０に形成した複数の下向き切欠き部５２Ｄから選択した一つの下向き切欠き部５２Ｄに係止する（図９（ａ）（ｂ）参照）。
【０１１０】
すなわち、一対の巻付け部４０の巻付けサイズを頭部Ａａの巻付けサイズに合わせて段階的に可変調節するため、巻付け部４０を頭部Ａａに対してぴったりとフィットした状態に装着することができる。
【０１１１】
この結果、頭部Ａａに装着した状態において、組立て式サンバイザー１０の位置や向きが変位することを防止できるため、実施例１に加えた作用、及び効果を奏することができる。
【０１１２】
上述の巻付け調節部５０Ｂ，５０Ｃ，５０Ｄを採用する場合、巻付け部４０における装着者Ａの頭部Ａａに巻き付けられる巻付け面と反対の面に対して、巻付け部４０の下縁部に沿って巻付けサイズを表示する目盛り４０ｂを予め付設しておいてもよい（図７、図８、図９参照）。
【０１１３】
すなわち、庇部３０の両端部に連設された一対の巻付け部４０を頭部Ａａに巻き付けた際に、巻付け部４０に付設した目盛り４０ｂを目安にして巻付けサイズを調節するため、巻付け部４０の巻付けサイズを頭部Ａａの巻付けサイズに合わせてより正確に可変調節することができる。
【０１１４】
これにより、巻付け部４０を頭部Ａａに対してぴったりとフィットする状態に巻き付けることができる。
【０１１５】
（実施例６）  
実施例６では、図１０に示すように、額当て部２０における差込み片２１ａ，２１ｂが形成された下縁部以外の上縁部に額部シート２００を連設した例と、図１１に示すように、庇部３０における差込み孔３１ａ，３１ｂが形成された後縁部以外の前縁部に庇部シート３００を連設した例について説明する。  
図１０は額部シート２００を連設した額当て部２０の平面図、図１１は庇部シート３００を連設した庇部３０の平面図である。
【０１１６】
図１０に示す額当て部２０の額部シート２００と、図１１に示す庇部３０の庇部シート３００とを、例えばハサミやカッター等の切断具を用いて所望の大きさ及び形状に加工する。あるいは、額部シート２００及び庇部シート３００の表裏両面のうち少なくとも一方の面に、例えば絵具、クレヨン、油性ペン等の筆記具を用いて所望のデザイン（例えば文字、図柄、絵等）を施すことができる。
【０１１７】
これにより、図示しない既存の組立て式サンバイザーに比べて、本発明の組立て式サンバイザー１０の額当て部２０及び庇部３０をより目立たせて、周囲の人の注目を集めることができるとともに、訴求性を高めることもできる。  
この結果、本発明の組立て式サンバイザー１０が個性的、あるいは、独創的であることをアピールすることができる。
【０１１８】
しかも、額部シート２００及び庇部シート３００に、例えば方眼、斜眼、曲線等の線を予め印刷しておけば、その線を目安にして、額部シート２００及び庇部シート３００を所望の大きさ及び形状により正確に加工したり、所望のデザインをより正確に施したりすることができる。
【０１１９】
この発明の構成と、前記実施形態との対応において、  
この発明の巻付け調節手段は、実施形態の巻付け調節部４１，５０Ｂ，５０Ｃ，５０Ｄに対応するも、  
この発明は、上述の実施形態の構成のみに限定されるものではなく、請求項に示される技術思想に基づいて応用することができ、多くの実施の形態を得ることができる。
【０１２０】
上述の実施例２では、リブ３５，３６を庇部３０に形成した例について説明したが、例えばリブ３５，３６を額当て部２０に形成してもよく、額当て部２０を装着者Ａの額部Ａｂに対してぴったりとフィットする状態に押し当てられる所定の形状に保つことができる。
【符号の説明】
【０１２１】
Ａ…装着者
Ａａ…頭部
Ａｂ…額部
１０…組立て式サンバイザー
２０…額当て部
２００…額部シート
２１ａ，２１ｂ…差込み片
２１ｃ…折り重ね片
２２…当接部
２３…折曲げ罫線
３０…庇部
３００…庇部シート
３１ａ，３１ｂ…差込み孔
３２…端部
３２，３３…折曲げ罫線
３５，３６…リブ
４０…巻付け部
４０ｂ…目盛り
４１…巻付け調節部
４２…係止孔
４３…ゴム紐
４４…突出部
５０Ｂ…巻付け調節部
５１Ｂ…面ファスナー
５２Ｂ…雌側テープ
５３Ｂ…雄側テープ
５０Ｃ…巻付け調節部
５１Ｃ…係止孔
５２Ｃ…係止片
５０Ｄ…巻付け調節部
５１Ｄ…上向き切欠き部
５２Ｄ…下向き切欠き部
【図１】
2018028154.tif 000003
【図２】
2018028154.tif 000004
【図３】
2018028154.tif 000005
【図４】
2018028154.tif 000006
【図５】
2018028154.tif 000007
【図６】
2018028154.tif 000008
【図７】
2018028154.tif 000009
【図８】
2018028154.tif 000010
【図９】
2018028154.tif 000011
【図１０】
2018028154.tif 000012
【図１１】
2018028154.tif 000013